【手続補正書】
【提出日】平成27年9月17日(2015.9.17)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
第１位置から該第１位置とは異なる第２位置へ移動可能に設けられた可動部と、
ベース部に設けられたベース側ラックギヤと、
前記可動部に設けられた可動側ラックギヤと、
前記ベース側ラックギヤと前記可動側ラックギヤとに噛合されるピニオンギヤと、
前記ピニオンギヤを前記ベース側ラックギヤに沿って移動させる駆動源と、
を備え、
前記可動部は、前記ピニオンギヤが前記駆動源により前記ベース側ラックギヤに沿って移動することと該移動により回動することとにより前記第１位置から前記第２位置へ移動する
ことを特徴とする遊技機。
【手続補正２】
【補正対象書類名】明細書
【補正対象項目名】０００１
【補正方法】変更
【補正の内容】
【０００１】
本発明は、遊技を行うことが可能な遊技機に関する。
【手続補正３】
【補正対象書類名】明細書
【補正対象項目名】０００２
【補正方法】変更
【補正の内容】
【０００２】
従来、パチンコ遊技機やスロットマシンに代表される遊技機にあっては、画像を表示可能な演出表示装置とは別個に、機械的構造物である演出可動体を設け、該演出可動体を可動させる演出を行うもの等が提案されている（例えば、特許文献１参照）。
【手続補正４】
【補正対象書類名】明細書
【補正対象項目名】０００３
【補正方法】削除
【補正の内容】
【手続補正５】
【補正対象書類名】明細書
【補正対象項目名】０００４
【補正方法】変更
【補正の内容】
【０００４】
【特許文献１】特開２００６−１４９７４０号公報
【手続補正６】
【補正対象書類名】明細書
【補正対象項目名】０００５
【補正方法】削除
【補正の内容】
【手続補正７】
【補正対象書類名】明細書
【補正対象項目名】０００６
【補正方法】変更
【補正の内容】
【０００６】
本発明は、可動部を小さな駆動量で大きく、かつ、速く移動させることができる遊技機を提供することを目的とする。
【手続補正８】
【補正対象書類名】明細書
【補正対象項目名】０００７
【補正方法】変更
【補正の内容】
【０００７】
前記課題を解決するために、本発明の請求項１に記載の遊技機は、
遊技を行うことが可能な遊技機であって、
第１位置から該第１位置とは異なる第２位置へ移動可能に設けられた可動部と、
ベース部に設けられたベース側ラックギヤと、
前記可動部に設けられた可動側ラックギヤと、
前記ベース側ラックギヤと前記可動側ラックギヤとに噛合されるピニオンギヤと、
前記ピニオンギヤを前記ベース側ラックギヤに沿って移動させる駆動源と、
を備え、
前記可動部は、前記ピニオンギヤが前記駆動源により前記ベース側ラックギヤに沿って移動することと該移動により回動することとにより前記第１位置から前記第２位置へ移動する
ことを特徴としている。
本発明の手段１の遊技機は、
遊技用価値（パチンコ球）を用いて遊技を行うことが可能であり、所定の演出装置（第１演出装置４００、第３演出装置５００）を備えた遊技機（パチンコ遊技機１）であって、
前記演出装置（第１演出装置４００）は、
第１位置（上昇位置）に設けられ、該第１位置から第１移動範囲（図１５（ｂ）右上り斜線参照）内で移動（昇降）可能に設けられた第１可動部（第１可動物４０２）と、
前記第１移動範囲内の第２位置（演出位置）に設けられ、該第２位置から前記第１移動範囲と重畳しない第２移動範囲（図１５（ｂ）左上り斜線参照）内で移動可能に設けられた第２可動部（第２可動物４０３Ｌ，４０３Ｒ）と、
前記第１可動部と前記第２可動部とを連動させる連動手段（リンク部材４２６Ｌ，４２６Ｒ、第１ガイド長孔４１０Ｌ，４１０Ｒ、第３ガイド長孔４１２Ｌ，４１２Ｒ、第４ガイド長孔４１３Ｌ，４１３Ｒ、リンクガイド長孔４２８Ｌ，４２８Ｒ／例えば、駆動モータ４３２Ｌ，４３２Ｒと第２可動物４０３Ｌ，４０３Ｒを駆動する第２駆動モータとを連動制御する演出制御用マイクロコンピュータ）と、
を備え、
前記連動手段は、前記第１可動部が前記第１位置から前記第１移動範囲内へ移動する際に、前記第２可動部を前記第２位置から前記第２移動範囲内へ移動させる（図１５参照）
ことを特徴としている。
この特徴によれば、第１可動部と第２可動部とを連動させることにより、第２位置に第１可動部と第２可動部とが交互に配置されるようになる。すなわち、第１可動部と第２可動部との移動範囲の一部が重畳していることで、第２位置に対して第１可動部及び第２可動部のうち一方が離れると他方は近づくといったように、連動時における第１可動部及び第２可動部の移動態様に関連性を持たせつつ複雑化することができるため、演出効果が向上される。
尚、前記連動手段は、前記第１可動部と前記第２可動部とを機械的に連結して連動させるものや、個別の駆動源による駆動制御により連動させるものを含む。
【手続補正９】
【補正対象書類名】明細書
【補正対象項目名】０００８
【補正方法】変更
【補正の内容】
【０００８】
本発明の手段２の遊技機は、手段１に記載の遊技機であって、
前記連動手段（リンク部材４２６Ｌ，４２６Ｒ、第１ガイド長孔４１０Ｌ，４１０Ｒ、第３ガイド長孔４１２Ｌ，４１２Ｒ、第４ガイド長孔４１３Ｌ，４１３Ｒ、リンクガイド長孔４２８Ｌ，４２８Ｒ）は、前記第１可動部（第１可動物４０２）と前記第２可動部（第２可動物４０３Ｌ，４０３Ｒ）とを連動可能に連結するリンク機構（リンク部材４２６Ｌ，４２６Ｒ、図１２〜図１４参照）から構成される
ことを特徴としている。
この特徴によれば、連動制御を複雑化することなく、簡単な構成で第１可動部と第２可動部とを連動させることができる。
【手続補正１０】
【補正対象書類名】明細書
【補正対象項目名】０００９
【補正方法】変更
【補正の内容】
【０００９】
本発明の手段３の遊技機は、手段２に記載の遊技機であって、
前記第１可動部（第１可動物４０２）は、前記第１移動範囲（図１５（ｂ）右上り斜線参照）内を第１方向（上下方向）に向けて直線移動可能に設けられ、
前記第２可動部（第２可動物４０３Ｌ，４０３Ｒ）は、前記第２移動範囲（図１５（ｂ）左上り斜線参照）内を前記第１方向に対し略直交する第２方向（左右方向）に向けて直線移動可能に設けられ、
前記リンク機構（リンク部材４２６Ｌ，４２６Ｒ、図１２〜図１４参照）は、一端が前記第１可動部に連結され、他端が前記第２可動部に連結されたリンク部材（第１リンク４２６ａ，第２リンク４２６ｂ）であり、
前記リンク部材は、前記第１方向及び前記第２方向双方に対し常時傾斜するように該第１可動部と該第２可動部とに連結されている（図１２〜図１４参照）
ことを特徴としている。
この特徴によれば、リンク部材が第１可動部または第２可動部の移動方向に対し略直交することはないので、一方の移動に応じて他方をスムーズに連動させることができる。
【手続補正１１】
【補正対象書類名】明細書
【補正対象項目名】００１０
【補正方法】変更
【補正の内容】
【００１０】
本発明の手段４の遊技機は、手段２に記載の遊技機であって、
前記第１可動部（第１可動物４０２）は、前記第１移動範囲（図１５（ｂ）右上り斜線参照）内を第１方向（上下方向）に向けて直線移動可能に設けられ、
前記第２可動部（第２可動物４０３Ｌ，４０３Ｒ）は、前記第２移動範囲（図１５（ｂ）左上り斜線参照）内を前記第１方向に対し略直交する第２方向（左右方向）に向けて直線移動可能に設けられ、
前記リンク機構（リンク部材４２６Ｌ，４２６Ｒ、図１２〜図１４参照）は、
一端が前記第１可動部に連結された第１リンク（第１リンク４２６ａ）と、
該第１リンクに一端が連結されるとともに他端が前記第２可動部に連結された第２リンク（第２リンク４２６ｂ）と、
前記第１リンクと前記第２リンクとの連結部（リンクガイド軸４２６ｃ）を移動案内する移動案内部（リンクガイド長孔４２８Ｌ，４２８Ｒ）と、からなり、
前記移動案内部は、前記第１方向及び前記第２方向双方に対し傾斜して設けられている（図１２〜図１４参照）
ことを特徴としている。
この特徴によれば、第１リンクや第２リンクは、第１方向及び第２方向に対し直交しても案内移動部に対し略直交することはないので、第１可動部の移動に応じて第２可動部をスムーズに連動させることができるとともに、第１リンクに対し第２リンクが屈曲可能であることで、移動案内部に対する交差角度を極力小さくすることができる。
【手続補正１２】
【補正対象書類名】明細書
【補正対象項目名】００１１
【補正方法】変更
【補正の内容】
【００１１】
本発明の手段５の遊技機は、手段２〜４のいずれかに記載の遊技機であって、
画像を表示可能な表示装置（演出表示装置９）を備え、
前記第１可動部（第１可動物４０２）は、前記第１位置（上昇位置）において前記表示装置の表示画面に重畳しないとともに（図１、図１５（ａ）参照）、前記第１移動範囲（図１５（ｂ）右上り斜線参照）内の前記第２位置｛下降位置（第２可動物４０３Ｌ，４０３Ｒの演出位置）｝において、前記表示装置の表示画面に一部が重畳するように設けられ（図１、図１５（ｂ）参照）、
前記第２可動部（第２可動物４０３Ｌ，４０３Ｒ）は、前記第２位置（演出位置）において前記表示装置を装飾するとともに、前記第１可動部が前記第１位置に位置したときに前記表示装置の表示画面に重畳しない非重畳位置（退避位置）に位置するように設けられている
ことを特徴としている。
この特徴によれば、第２可動部が第２位置に位置するときと非重畳位置に位置するときとで、表示画面の装飾態様が変化するので、遊技者の興味が引き付けられやすい。
【手続補正１３】
【補正対象書類名】明細書
【補正対象項目名】００１２
【補正方法】変更
【補正の内容】
【００１２】
本発明の手段６の遊技機は、手段２〜５のいずれかに記載の遊技機であって、
所定の駆動源（駆動モータ４３２Ｌ，４３２Ｒ）の駆動力を前記第１可動部（第１可動物４０２）または前記第２可動部（第２可動物４０３Ｌ，４０３Ｒ）に伝達する駆動力伝達手段（ギヤユニット４３０Ｌ，４３０Ｒ）を備え、
前記駆動力伝達手段は、
所定のベース部（ベース部材４０１）に設けられたベース側ラックギヤ（固定ラックギヤ４５０Ｌ，４５０Ｒ）と、
前記第１可動部または前記第２可動部に設けられた可動側ラックギヤ（アームラックギヤ４５４Ｌ，４５４Ｒ）と、
前記駆動源により前記ベース部に対し移動可能とされ、前記ベース側ラックギヤ及び前記可動側ラックギヤ双方に噛合されるピニオンギヤ（連結ギヤ４４５Ｌ，４４５Ｒ）が回動可能に軸支された移動体（後昇降板４３５Ｌ，４３５Ｒと前昇降板４３６Ｌ，４３６Ｒとからなる昇降体）と、
から構成される
ことを特徴としている。
この特徴によれば、移動体のベース部に対するストローク量に対し、該移動体に対して相対移動する可動部のベース部に対するストローク量は倍になることで、ベース側ラックギヤ及び可動側ラックギヤを短寸化できるため、収縮時にコンパクトに収納することができる。
【手続補正１４】
【補正対象書類名】明細書
【補正対象項目名】００１３
【補正方法】変更
【補正の内容】
【００１３】
本発明の手段７の遊技機は、
遊技用価値（パチンコ球）を用いて遊技を行うことが可能であり、所定の演出装置（第１演出装置４００及び第３演出装置５００）を備えた遊技機（パチンコ遊技機１）であって、
前記演出装置（第１演出装置４００及び第３演出装置５００）は、
第１位置（上昇位置）に設けられ、該第１位置から第１移動範囲（図１５（ｂ）右上り斜線参照）内で移動（昇降）可能に設けられた第１可動部（第１可動物４０２）と、
前記第１移動範囲内の第３位置（搭乗位置）に設けられ、該第３位置から前記第１移動範囲と重畳しない第３移動範囲（図２４（ａ）（ｂ）参照）内で移動（昇降）可能に設けられた第３可動部（第３可動物５０２）と、
を備え、
前記第１可動部（第１可動物４０２）は、該第１可動部の本体内部に形成される空間部及び該空間部内を視認可能とする窓部（窓部４０２ａ）を有し、
前記第３可動部は、前記第３位置において、前記第１移動範囲内の所定箇所（例えば、下降位置）に移動された前記第１可動部の前記空間部内に挿入されるとともに、前記窓部を介して遊技者側から視認可能とされる（図２４（ｃ）、図２５参照）
ことを特徴としている。
この特徴によれば、第１可動部の本体内部にて第３可動部が窓部を通して視認可能となることで、第１可動部と第３可動部の態様に変化を持たせることができる。
【手続補正１５】
【補正対象書類名】明細書
【補正対象項目名】００１４
【補正方法】変更
【補正の内容】
【００１４】
本発明の手段８の遊技機は、手段７に記載の遊技機であって、
前記第１可動部（第１可動物４０２）は、前記第３可動部（第３可動物５０２）が前記第３位置（搭乗位置）に位置したときに該第３可動部を発光させる発光手段（上ＬＥＤ４６４）を有する
ことを特徴としている。
この特徴によれば、第３可動部の態様が変化するので演出効果が高まる。
【手続補正１６】
【補正対象書類名】明細書
【補正対象項目名】００１５
【補正方法】変更
【補正の内容】
【００１５】
本発明の手段９の遊技機は、手段８に記載の遊技機であって、
前記発光手段（上ＬＥＤ４６４）の発光制御を行う発光制御手段（演出制御用マイクロコンピュータ）を備え、
前記発光制御手段は、前記第３可動部（第３可動物５０２）が前記第３位置（搭乗位置）に到達する際及び該第３位置から退避する際に前記発光手段の発光を一旦停止させる（図２４（ｂ）参照）
ことを特徴としている。
この特徴によれば、第３可動部が中途半端な位置で発光することが防止される。
【手続補正１７】
【補正対象書類名】明細書
【補正対象項目名】００１６
【補正方法】変更
【補正の内容】
【００１６】
本発明の手段１０の遊技機は、手段２〜９のいずれかに記載の遊技機であって、
所定の回動手段（ドラムモータ６１１、ピニオンギヤ６１２、従動ギヤ６１４、回転筒６２５Ｒ、固定軸６１３，６２０）を介して回動可能に設けられ、周面が複数の表示面（６２６ａ〜６２６ｃ）にて構成される多面可動体（回転ドラム６０２）と、
前記複数の表示面のうち少なくとも一つを遊技者側から視認可能とする表示窓部（表示用開口部６３１）と、
を備え、
前記複数の表示面のうち特定の表示面（表示面６２６ａ）と前記表示窓部の周囲に設けられた固定表示部（装飾部材６０３における表示用開口部６３１の下部位置）とには、所定の装飾態様を有する装飾部の一部を構成する装飾部位（ドラム側装飾部６２７、本体側装飾部６３３Ａ，６３３Ｂ）がそれぞれ分割して設けられており、
前記特定の表示面が前記表示窓部に臨む位置で前記多面可動体が停止したときに、該特定の表示面及び前記固定表示部それぞれに設けられた装飾部位によって前記所定の装飾態様が形成される（図３０参照）
ことを特徴としている。
この特徴によれば、特定の表示面が表示窓部に臨むときのみ所定の装飾態様が形成されるため、演出効果が向上する。